(57)【要約】【課題】ディスプレイマットやポスターパネルを裏返すこと無く、表面の透明板を脱着することにより容易に広告、掲示物を交換出来、上からの防水効果があり、更に傷ついた透明板も新しい物と交換出来る広告、掲示物用ディスプレイ装置を提供する。【解決手段】外枠内に底板に平行なコの字型又は逆エル字型の溝を有した第１の外枠を底板の２辺か３辺の端に固着した底板と、残る２辺か１辺の端に外枠内に底板に平行なコの字型又は逆エル字型の溝を有した第２の外枠を固着した透明板とからなり、第１の外枠内のコの字型の溝内に透明板を挿入し、第２の外枠の底部に断面が凹型又は逆エル字型の溝を設け、その溝の内部に着脱可能な固着体の一片を固着し、その溝に相対する底板の表面に着脱可能な固着体の他の一片を固着し、外枠付き底板と透明板の間に広告、掲示物を挿入し、上下に組み合わせ留め付けることによって一体化する。【選択図】  図１
2011048330.tif 000002
【特許請求の範囲】
【請求項１】
ポスター等の広告や写真、絵、文字等を表示したシート状の掲示物を、床やカウンター等の平面に置いたり、壁や柱に掛けたりするための広告、掲示物用ディスプレイ装置に於いて、
外枠内に底板に平行なコの字型又は逆エル字型の溝を有した第１の外枠を底板の２辺か３辺の端に固着した底板と、
残る２辺か１辺の端に外枠内に底板に平行なコの字型又は逆エル字型の溝を有した第２の外枠を固着した透明板とからなり、
第１の外枠内のコの字型の溝又は、逆エル字型の溝と底板で出来たコの字型の溝内に透明板を挿入し、第２の外枠の底部に断面が凹型又は逆エル字型の溝を設け、その溝の内部に着脱可能な固着体の一片を固着し、その溝に相対する底板の表面に着脱可能な固着体の他の一片を固着し、外枠付き底板と透明板を上下に組み合わせ留め付けることによって一体化し、広告、掲示物を容易に交換出来ることを特徴とする広告、掲示物用ディスプレイ装置。
【請求項２】
前記、第２の外枠の底部の凹型又は逆エル字型の溝及び、その溝内部と底板の表面に着脱可能な固着体を固着することに換え、
第２の外枠の底部に断面が逆テーパー型のメスの溝を設け、その溝に相対する底板の表面に断面が逆テーパー型のオスのレールを設け、溝とレールを上下に噛み合わせ、留め付けることによって外枠付き底板と透明板を一体化し、広告、掲示物を容易に交換出来ることを特徴とする請求項１に記載の広告、掲示物用ディスプレイ装置。
【請求項３】
前記、透明板に換え、
透明板とほぼ同じサイズの中間板を透明板の裏面の１辺乃至３辺に固着し、中間板を固着していない３辺乃至１辺の全部又は一部に、着脱可能な固着体で中間板を留め付けた透明板を用い、透明板と中間板の間に挿入した広告、掲示物を容易に交換出来ることを特徴とする請求項１乃至２のいずれかに記載の広告、掲示物用ディスプレイ装置。
【請求項４】
前記、第２の外枠の底部の凹型又は逆エル字型の溝及び、その溝内部と底板の表面に着脱可能な固着体を固着することに換え、
第２の外枠の内側の中間板の裏面に着脱可能な固着体の一片を固着し、その一片に相対する底板の表面に着脱可能な固着体の他の一片を固着し、外枠付き底板と中間板付き透明板を上下に留め付けることによって一体化し、広告、掲示物を容易に交換出来ることを特徴とする請求項３に記載の広告、掲示物用ディスプレイ装置。
【請求項５】
前記、底板に複数の穴を設け、その穴を通して底板にわたり粘着テープで底板を床やカウンター等の平面に貼り付けることを特徴とする請求項１乃至４のいずれかに記載の広告、掲示物用ディスプレイ装置。
【発明の詳細な説明】
【技術分野】
【０００１】
本発明は、広告、掲示物を透明板と底板又は中間板の間に挿入し、底板に固着した外枠内に設けたコの字型の溝に外枠を固着した透明板を挿入し、外枠付き底板と透明板を組み合わせ留め付けることにより着脱可能にした、床やカウンター等の平面に置いたり、壁や柱に掛けたりするディスプレイマット又はポスターパネル等の広告、掲示物用ディスプレイ装置に関するものである。
【背景技術】
【０００２】
先願の床置き型ディスプレイマットに於いて、特許文献１は、弾力性のある透明板の４辺を外枠内部のコの字型の溝に挿入するが、本発明は、先願を改良し透明板をより一層溝に挿入し易くし、防水効果を高めた物である。
特許文献２は、外枠を透明板の４辺に固着し外枠の多くとも２辺を底板に固着し、透明板と底板の間に広告、掲示物を挿入する方法で、本発明とは外枠や底板や透明板の留め付け方法が異なり、本発明の方が傷ついた透明板を交換出来る点、防水性の点、ポスターパネルに応用が利く点で優れている。
【先行技術文献】
【特許文献】
【０００３】
【特許文献１】特願２００８−３１０９１２
【特許文献２】特表２００７−５３４０２４
【発明の概要】
【発明が解決しようとする課題】
【０００４】
現在、普及している床等の平面に設置される広告、掲示物は、印刷された合成樹脂製シートを床等に貼り付けているが土足で踏まれて印刷が摩耗し見難くなる。又、印刷されたシートのコストが高く短期間で広告、掲示物を交換し難い。
現在普及しているポスターパネルは、外枠や底板や透明板が硬い物が多く曲面には適していない。
ディスプレイマットを裏返すこと無く、ポスターパネルを壁や柱に留め付けたままで、透明板と底板又は中間板の間のポスター等の広告、掲示物を表面の透明板を脱着することにより容易に交換出来、防水効果がありさらに踏まれて傷ついた透明板も容易に新しい物と交換出来るディスプレイ装置を提供する。
【課題を解決するための手段】
【０００５】
外枠内に底板に平行なコの字型又は逆エル字型の溝を有した第１の外枠を底板の２辺か３辺の端に固着した底板と、
残る２辺か１辺の端に外枠内に底板に平行なコの字型又は逆エル字型の溝を有した第２の外枠を固着した透明板とからなり、
第１の外枠内のコの字型の溝又は、逆エル字型の溝と底板で出来たコの字型の溝内に透明板を挿入し、第２の外枠の底部に断面が凹型又は逆エル字型の溝を設け、その溝の内部に面ファスナー又はマグネットか磁性体又は粘着体等の着脱可能な固着体の一片を固着し、その溝に相対する底板の表面に着脱可能な固着体の他の一片を固着し、外枠付き底板と透明板を上下に組み合わせ留め付けることによって一体化する。
【０００６】
第１の実施例では、図２、３、４の様に、外枠内のコの字型の溝の底部１５を内側に長くする。図２の様に、第１の外枠内のコの字型の溝の内部に防水の為のフィンを設けても良い。
第１、２の実施例では、図３、６の様に、第２の外枠の底部に断面が凹型の溝を設け着脱可能な固着体の１片を固着しても良いが、図４、７の様に、凹型の溝に換え、第２の外枠内に第２の逆エル字型の溝を設け着脱可能な固着体の１片を固着しても良い。
【０００７】
第２の実施例では、図５の様に、第１の外枠内のコの字型の溝の底部１５を無くし溝を逆エル字型とする。この第１の逆エル字型の溝と底板で出来たコの字型の溝に透明板を挿入する。
図５、６，７の様に、前記、透明板に換え、
透明板とほぼ同じサイズの中間板を透明板の裏面の１辺乃至３辺に固着し、中間板を固着していない３辺乃至１辺の全部又は一部に、微粘着ジェルテープ又は樹脂製レールファスナー等の着脱可能な固着体で中間板を留め付けた透明板を用い、透明板と中間板の間に広告、掲示物を挿入しても良い。
また、中間板を固着していない辺の全部又は一部に微粘着テープに換え、厚さを合わせるために微粘着テープとほぼ同じ厚さの単なるテープを用いても良い。
【０００８】
第３の実施例では、図８、９の様に、前記、第２の外枠の底部の凹型又は逆エル字型の溝及び、その溝内部と底板の表面に着脱可能な固着体を固着することに換え、
第２の外枠の底部に断面が逆テーパー型のメスの溝を設け、その溝に相対する底板の表面に断面が逆テーパー型のオスのレールを設けても良い。
【０００９】
第４の実施例では、図１０の様に、前記、第２の実施例と同じく第１の外枠内のコの字型の溝に透明板を挿入する。
図１０、１１、１２の様に、前記、透明板に換え、
第２の実施例と同じく透明板の裏面に中間板を設け、前記、第２の外枠の底部の凹型又は逆エル字型の溝及び、その溝内部と底板の表面に着脱可能な固着体を固着することに換え、
図１１の様に、第２の外枠の内側の中間板の裏面に面ファスナー又はマグネットか磁性体又は粘着体等の着脱可能な固着体の一片を固着し、その一片に相対する底板の表面に着脱可能な固着体の他の一片を固着しても良い。
【００１０】
第５の実施例では図１３、１４、１５の様に、第４の実施例と同様であるが、第１の外枠と第２の外枠の断面形状を同一にし、図１４、１５の様に、第２の外枠内の第３の逆エル字型の溝に補助板を固着することにより中間板付き透明板と第２の外枠を固着しても良い。
【００１１】
第４、第５の実施例に於いて、図１２、１５の様に、面ファスナー又はマグネットか磁性体又は粘着体等の着脱可能な固着体の厚さを吸収するために、底板に穴をあけ着脱可能な固着体の他の１片を底板の底面に設けた当て板に固着しても良い。
【００１２】
ディスプレイマットの場合、外枠の表面に床に向かい外周方向へスロープを設けても良
い。ポスターパネルとして円柱等の曲面に巻き付ける場合は、外枠、透明板、中間板、底
板等の部材を軟らかくするか予め湾曲させても良い。
又、前記、底板、透明板、中間板、外枠、微粘着ジェルテープ、滑り止めの両面粘着ジェルシート、面ファスナー等の部材は、強度を維持しながら極力薄く成形する。
【００１３】
透明板は、一例として塩化ビニール、ＰＥＴ（ポリエチレン・テレフタレート）、ポリ
プロピレン、ポリエチレン、ポリスチレン、ＥＶＡ（エチレン・ビニル・アセテート）、
ポリ・カーボネート等でも良いが、ＰＥＴボトルをリサイクルしたＰＥＴ板を選択しても
良い。ディスプレイマットの場合はそのＰＥＴ板の表面に傷付き難い保護層又はフイルムを積層させた物を選択しても良い。
【００１４】
本発明のディスプレイマットの底板に複数の穴を設け、その穴を通して底板にわたり粘着テープで底板を床やカウンター等の平面に貼り付けても良いし、又は底板の裏面に両面粘着ジェルシート又は面ファスナーのオスの面を点在させても良い。又はその二つのを併用させても良い。
ポスターパネルの場合は、外枠又は底板に壁や柱に留め付ける為の穴を設けても良い。
【００１５】
合成樹脂や合成ゴムで成形された底板、透明板、中間板、外枠、微粘着ジェルテープ、粘着テープ、滑り止めの両面粘着ジェルシート等は、上記各部材どうしや接する床やカウンター、壁や柱等の樹脂の表面素材に対し、長時間樹脂どうしが接していると固着してしまう移行性が無いか、又は移行性が低い素材又は配合を選択する。
【発明の効果】
【００１６】
本発明は、床やカウンター等の平面を新しい広告、掲示スペースとして、又円柱等の曲
面にも設置出来、今まで使用していないスペースの有効利用が出来る。
店舗に於いては、購買現場で商品のアピールが出来、購買衝動を刺激することが出来る。
【００１７】
シート状の広告、掲示物を透明板と底板又は中間板の間に挿入し、本発明のディスプレイマットやポスターパネルの表面の透明板を通し表面から広告、掲示物が見え土足で踏まれたり手で触れられても広告、掲示物は汚れない。
本発明のディスプレイマットを裏返すこと無く、又本発明のポスターパネルは、壁や柱
に留め付けられたまま、透明板と底板を脱着することで広告、掲示物を容易に交換出来る
。更に透明板が傷ついた場合は、外枠付き透明板を新しい物と交換出来る。
【００１８】
本発明のディスプレイマットやポスターパネルの第２の外枠のコーナーは、透明板の脱着のために固着していないが、外枠又は中間板と底板を留め付けている面ファスナー又はマグネット又は粘着体等の着脱可能な固着体、又は逆テーパー型のオス、メスのレールと溝を上下に剥がさない限り透明板は外枠から抜け難い。
【００１９】
第１の実施例では、図２、３、４の様に、外枠内のコの字型の溝の底部１５を内側に長くすることで透明板を挿入し易くし、広告、掲示物の位置決めやずれ防止にも効果がある。防水の為の中間板が無いので防水性は落ちるが、構造が単純でコストが安く全体を薄く出来る可能性がある。
図２の様に、第１の外枠内のコの字型の溝の内部に防水フィンを設け、上からの水の浸入を防いでも良い。
第１、２の実施例では、図３、６の様に、第２の外枠の底部に断面が凹型の溝を設け着脱可能な固着体の１片を固着しても良いが、図４、７の様に、凹型の溝に換え、第２の外枠内に第２の逆エル字型の溝を設け着脱可能な固着体の１片を固着すれば外枠全体の幅を狭くすることが出来る。
【００２０】
第２の実施例では、図５の様に、第１の外枠内のコの字型の溝の底部１５を無くし溝を逆エル字型としてあるので、この第１の逆エル字型の溝と底板で出来たコの字型の溝内に透明板は、底板の上を滑りスムースに挿入出来る。
図５、６、７の様に、前記、透明板に換え、
図１９、２０の様に、透明板とほぼ同じサイズの中間板を透明板の裏面の１辺乃至３辺に固着し、中間板を固着していない３辺乃至１辺の全部又は一部に、微粘着ジェルテープ又は樹脂製レールファスナー等の着脱可能な固着体で中間板を留め付けた透明板を用いてあるので、中間板から透明板を剥がし、その間に広告、掲示物を挿入すれば防水効果が出る。防水効果が不要の場合は、微粘着ジェルテープの全部又は一部に換え、厚さを合わせるためにそのテープとほぼ同じ厚さの単なるテープを固着すれば中間板と透明板は簡単に剥がれ、広告、掲示物の交換がより容易である。
【００２１】
第３の実施例では、図８、９の様に、前記、第２の外枠の底部の凹型又は逆エル字型の溝及び、その溝内部と底板の表面に着脱可能な固着体を固着することに換え、
第２の外枠の底部に断面が逆テーパー型のメスの溝を設け、その溝に相対する底板の表面に断面が逆テーパー型のオスのレールを設けるので、溝とレールを上下に噛み合わせ留め付ければ外枠付き底板と透明板は容易に一体化出来る。
【００２２】
第４の実施例では、図１０、１１、１２の様に、第２の実施例の面ファスナーの位置を変えた物で、前記、第２の外枠の底部の凹型又は逆エル字型の溝及び、その溝内部と底板の表面に着脱可能な固着体を固着することに換え、
図１１の様に、第２の外枠の内側の中間板の裏面に面ファスナー又はマグネットか磁性体又は粘着体等の着脱可能な固着体の一片を固着し、その一片に相対する底板の表面に着脱可能な固着体の他の一片を固着するので、実施例１〜３に比べ外枠全体の幅を狭くすることが出来る。
第４、第５の実施例に於いて、図１２、１５の様に、底板に穴をあけ着脱可能な固着体の他の１片を底板の底面に設けた当て板に固着すれば、面ファスナー又はマグネットか磁性体又は粘着体等の着脱可能な固着体の厚さで出来る第２の外枠の浮きを解消することが出来る。
【００２３】
第５の実施例では、図１３、１４、１５の様に、第４の実施例と同様であるが、第１の外枠と第２の外枠の断面形状を同一にし、第２の外枠内の第３の逆エル字型の溝に補助板を固着すると同時に中間板付き透明板に第２の外枠を固着しても良い。
金型が一つで済むのでコストを下げられること、補助板を用い透明板と中間板を第２の外枠に両面テープで容易に固着出来るメリットがある。
第１の外枠と第２の外枠の断面形状を同一には出来ないがこの補助板は、第１、２、３の実施例にも応用出来る。第２の外枠に応用する場合は、補助板に着脱可能な固着体、又は逆テーパー型のオス、メスのレールと溝の為の穴を設ける必要がある。
【００２４】
本発明のディスプレイマットの透明板は、土足で踏まれても傷つき難い設計ではあるが
、合成樹脂製であればやはり踏まれて傷ついて透明性は落ちる。外枠付きのまま透明板を
新しい物と容易に交換することが出来る。
ポスターパネルの場合は、土足で踏まれることは無いので表面硬度を上げる為の保護層又はフイルムの積層は不要となるが、傷ついて透明性が落ちたら同じく外枠付きのまま透明板を新しい物と容易に交換することが出来る。
【００２５】
又、本発明のディスプレイマットは、外枠の外周方向へスロープを設けてあるので店舗内のカート、台車等の車輪を乗り上げることが出来る。又、底板、中間板、透明板、外枠等の構造が単純で、厚さを抑えることが出来、邪魔になり難い。
ポスターパネルとして円柱等の曲面に巻き付ける場合は、外枠、透明板、中間板、底板等の部材を軟らかく成形するか予め湾曲させ成形しても良い。
【００２６】
本発明のディスプレイマットの底板に複数の穴を設け、その穴を通して底板にわたり粘着テープで底板を床やカウンター等の平面に貼り付けても良い。又は底板の裏面に両面粘着ジェルシート又は面ファスナーのオスの面を点在させても良いし、又はその二つを併用させれば床やカウンター等の上でさらに滑り難い。
ポスターパネルの場合は、外枠又は底板に壁や柱に留め付ける為の穴を設けても良い。
透明板と中間板を粘着する微粘着ジェルテープも底板の裏の両面粘着ジェルシートも、粘着力が落ちたら水洗いやより粘着力の強いシート等で粘着面の汚れを取れば粘着力は戻る。
【図面の簡単な説明】
【００２７】
【図１】本発明の広告、掲示物用ディスプレイマット又はポスターパネルを床やカウ    ンター等の平面に置いた状態を示す斜視図である。
【図２】第１の実施例で、図１のＡ−Ａ´の一点鎖線上で、底板に第１の外枠を固着    し、透明板を挿入した状態を示す断面図である。
【図３】第１の実施例で、図１のＢ―Ｂ´の一点鎖線上で、透明板に第２の外枠を固    着し、第２の外枠底部の凹型の溝に固着した面ファスナーの一片と底板に固着した面   ファスナーの他の一片を留め付けた状態を示す断面図である。
【図４】第１の実施例で、図１のＢ―Ｂ´の一点鎖線上で、透明板に第２の外枠を固    着し、第２の外枠内の第２の逆エル字型の溝に固着した面ファスナーの一片と底板に固着した面ファスナーの他の一片を留め付けた状態を示す断面図である。
【図５】第２の実施例で、図１のＡ−Ａ´の一点鎖線上で、底板に第１の外枠を固着    し、粘着又は固着した透明板と中間板を、第１の外枠内のコの字型の溝に挿入した状態を示す断面図である。
【図６】第２の実施例で、図１のＢ―Ｂ´の一点鎖線上で、両面テープで固着した透明板と中間板を第２の外枠に固着し、第２の外枠底部の凹型の溝に固着した面ファスナーの一片と底板に固着した面ファスナーの他の一片を留め付けた状態を示す断面図である。
【図７】第２の実施例で、図１のＢ―Ｂ´の一点鎖線上で、両面テープで固着した透明板と中間板を第２の外枠に固着し、第２の外枠内の第２の逆エル字型の溝に固着した面ファスナーの一片と底板に固着した面ファスナーの他の一片を留め付けた状態を示す断面図である。
【図８】第３の実施例で、図１のＡ−Ａ´の一点鎖線上で、底板に第１の外枠を固    着し、透明板を挿入した状態を示す断面図である。
【図９】第３の実施例で、図１のＢ―Ｂ´の一点鎖線上で、透明板に第２の外枠を    固着し、第２の外枠の底部の断面が逆テーパー型のメスの溝と底板側の逆テーパー型    のオスのレールを噛合せ、留め付けた状態を示す断面図である。
【図１０】第４の実施例で、図１のＡ−Ａ´の一点鎖線上で、底板に第１の外枠を固    着し、粘着又は固着した透明板と中間板を、第１の外枠内のコの字型の溝に挿入した状態を示す断面図である。
【図１１】第４の実施例で、図１のＢ−Ｂ´の一点鎖線上で、両面テープで固着した透明板と中間板を第２の外枠に固着し、第２の外枠の内側の中間板の裏面に固着した面ファスナーの一片と底板に固着した面ファスナーの他の一片を留め付けた状態を示す断面図である。
【図１２】第４の実施例で、図１のＢ―Ｂ´の一点鎖線上で、両面テープで固着した透明板と中間板を第２の外枠に固着し、第２の外枠の内側の中間板の裏面に固着した面ファスナーの一片と、底板に穴をあけその底面に設けた当て板に固着した面ファスナーの他の一片を留め付けた状態を示す断面図である。
【図１３】第５の実施例で、図１のＡ−Ａ´の一点鎖線上で、底板に第１の外枠を固    着し、粘着又は固着した透明板と中間板を、第１の外枠内のコの字型の溝に挿入した状態を示す断面図である。
【図１４】第５の実施例で、図１のＢ−Ｂ´の一点鎖線上で、両面テープで固着した透明板と中間板を補助板を用い第２の外枠に固着し、第２の外枠の内側の中間板の裏面に固着した面ファスナーの一片と、底板に固着した面ファスナーの他の一片を留め付けた状態を示す断面図である。
【図１５】第５の実施例で、図１のＢ―Ｂ´の一点鎖線上で、両面テープで固着した透明板と中間板を補助板を用い第２の外枠に固着し、第２の外枠の内側の中間板の裏面に固着した面ファスナーの一片と、底板に穴をあけその底面に設けた当て板に固着した面ファスナーの他の一片を留め付けた状態を示す断面図である。
【図１６】底板の３辺の端に第１の外枠を固着し、底板の第１の外枠を固着していない辺の端に面ファスナーの他の１片を固着した状態を示す平面図である。
【図１７】透明板の１辺に第２の外枠を固着し、第２の外枠の底部に面ファスナーの１片を固着した状態を示す平面図である。
【図１８】図１６の第１の外枠付き底板に図１７の第２の外枠付き透明板を挿入し面ファスナーで留め付けた状態を示す平面図である。
【図１９】第２、第４、第５の実施例で用いる透明板の一つの例で、透明板と中間板を固着した１辺に第２の外枠を固着し、中間板の残りの３辺の端に微粘着テープを固着し、透明板を微粘着テープから剥がした状態を示す斜視図である。
【図２０】第２、第４、第５の実施例で用いる透明板のもう一つの例で、透明板の１辺に第２の外枠を固着し、その辺の相対する１辺を中間板に固着し、中間板の残る３辺の端に微粘着テープを固着し、透明板を微粘着テープから剥がした状態を示す斜視図である。
【図２１】底板に粘着テープの幅に近い大きさの穴を複数設け、粘着テープで底板を床面に貼り付けた状態を示す斜視図である。
【発明を実施するための形態】
【実施例】
【００２８】
本発明のディスプレイマット又はポスターパネル１００を製造、組み合わせ、使用する際の形態を説明する。
図２、５、８、１０、１３、１６の様に、外枠１内に底板５に平行なコの字型７又は逆エル字型の溝８、１０を有した第１の外枠１を底板５の２辺か３辺の端に固着した底板５と、
図３、４、６、７、９、１１、１２、１４、１５、１７の様に、残る２辺か１辺の端に外枠２内に底板５に平行なコの字型７又は逆エル字型の溝８、９、１０を有した第２の外枠２を固着した透明板３とからなり、
図２、５、８、１０、１３、１６の様に、第１の外枠１内のコの字型の溝７又は、第１の逆エル字型の溝８と底板５で出来たコの字型の溝内に透明板３を挿入し、図３、４、６、７、１７の様に、第２の外枠２の底部に断面が凹型又は第２の逆エル字型の溝９を設け、その溝の内部に面ファスナー又はマグネットか磁性体又は粘着体等の着脱可能な固着体の一片１１を固着し、その溝に相対する底板５の表面に、着脱可能な固着体の他の一片１２を固着し、図１８の様に、外枠１、２付き底板５と透明板３を上下に組み合わせ留め付けることによって一体化する。
【００２９】
第１の実施例では、図２、３、４の様に、外枠１、２内のコの字型の溝７の底部１５を内側に長くすることで、透明板３を挿入し易くし広告、掲示物６の位置決め、ずれ防止にも効果がある。
防水の為の中間板４が無いので防水性は落ちるが、構造が単純でコストが安く全体を薄く出来る可能性がある。
図２の様に、第１の外枠１のコの字型の溝７内部に防水フィン１４を設け、上からの水の浸入を防いでも良い。
第１、２の実施例では、図３、６の様に、第２の外枠２の底部に断面が凹型の溝を設け、面ファスナー等の着脱可能な固着体の１片１１を固着しても良いが図４、７の様に、凹型の溝に換え、第２の外枠２内に第２の逆エル字型の溝９を設け着脱可能な固着体の１片１１を固着すれば外枠１、２全体の幅を狭くすることが出来る。
【００３０】
第２、４、５の実施例では、図５、１０、１３の様に、第１の外枠１内のコの字型の溝７の底部１５を無くし溝を逆エル字型としてあるので、この第１の逆エル字型の溝８と底板５で出来たコの字型の溝内に透明板３は、底板５の上を滑りスムースに挿入出来る。
図５、６、７、図１０、１１、１２、図１３，１４、１５の様に、前記、透明板３に換え、
図１９、２０の様に、透明板３とほぼ同じサイズの中間板４を透明板３の裏面の１辺に固着し、中間板４を固着していない３辺の全部に微粘着ジェルテープ又は樹脂製レールファスナー等の着脱可能な固着体１３で中間板４を留め付けた透明板３を用いてあるので、中間板４から透明板３を剥がし、その間に広告、掲示物６を挿入すれば防水効果が出る。
防水効果が不要の場合は、微粘着ジェルテープ１３の全部又は一部に換え、厚さを合わせるためにそのテープとほぼ同じ厚さの単なるテープを固着すれば中間板４と透明板３は簡単に剥がれ、広告、掲示物６の交換がより容易である。
【００３１】
第２、４、５の実施例では、図１９、２０の様に、透明板３の裏面に微粘着ジェルテープ１３で中間板４を粘着する場合、微粘着ジェルテープ１３は、粘着性、防水性はあるが比較的容易に剥がせるものを選択する。ウレタン系エラストマー、アクリル系エラストマー、スチレン系エラストマー、シリコーン系エラストマー製微粘着ジェルテープを使用しても良い。
透明板３と中間板４の固着部分は、微粘着ジェルテープ１３とほぼ同じ厚さの両面テープ１８を使用しても良い。微粘着ジェルテープ１３に換え、樹脂製レールファスナーを用いる場合は、極力薄い物を選択する方が良い。
【００３２】
第３の実施例では、図８、９の様に、前記、第２の外枠２の底部の凹型又は逆エル字型の溝９及び、その溝内部と底板５の表面に着脱可能な固着体１１、１２を固着することに換え、
第２の外枠２の底部に断面が逆テーパー型のメスの溝１６を設け、その溝に相対する底板５の表面に断面が逆テーパー型のオスのレール１７を設けるので、溝とレールを上下に噛み合わせ留め付ければ外枠１、２付き底板５と透明板３は容易に一体化出来る。
【００３３】
第４、５の実施例では、図１０、１１、１２、図１３、１４、１５の様に、第２の実施例の面ファスナー１１、１２の位置を変えた物で、図１１、１４の様に、第２の外枠２の内側の中間板４の裏面に面ファスナー又はマグネットか磁性体又は粘着体等の着脱可能な固着体の一片１１を固着し、その一片に相対する底板５の表面に着脱可能な固着体の他の一片１２を固着するので、実施例１〜３に比べ外枠１、２全体の幅を狭くすることが出来る。
この場合、図１２、１５の様に、面ファスナー又はマグネットか磁性体又は粘着体等の着脱可能な固着体１１、１２の厚さを吸収するために、底板５に穴をあけ着脱可能な固着体の他の１片１２を底板５の底面に設けた当て板２０に固着れば着脱可能な固着体１１、１２の厚さによって出来る第２の外枠２の浮きを解消することが出来る。
【００３４】
第５の実施例では、図１３、１４、１５の様に、第１の外枠１と第２の外枠２の形状は同一であり、面ファスナー以外のすべての固着部分に両面テープを使用している。
第２の外枠２の内部の第３の逆エル字型の溝１０に補助板１９を両面テープ１８で固着することにより、中間板４付き透明板３と第２の外枠２を容易に固着することが出来る。
第１の外枠１と第２の外枠２を二つ成形せずに済みコストを下げることが出来る点と補助板１９が必要なこと以外は、第４の実施例と同じである。
第１の外枠１と第２の外枠２の断面形状を同一には出来ないがこの補助板１９は、第１、２、３の実施例にも応用出来る。第２の外枠２に応用するその場合は、補助板１９に着脱可能な固着体１１、１２、又は逆テーパー型のオス、メスのレールと溝１７、１６の為の穴を設ける必要がある。
【００３５】
フロアーマットの場合、図２〜１５の様に、外枠１、２の表面に外周方向へスロープ２４を設けてあるので、店舗内のカートや台車等の車輪を乗り上げ易い。
ポスターパネルの場合はスロ−プは不要となるが、円柱等の曲面に留め付ける場合は、外枠１、２、透明板３、中間板４、底板５等の部材を軟らかく成形するか予め湾曲させて成形しても良い。
又、底板５、中間板４、透明板３、外枠１、２、微粘着ジェルテープ１３、滑り止めの両面粘着ジェルシート２３、面ファスナー１１、１２等の部材は、強度を維持しながら極力薄く成形した方が良い。
【００３６】
フロアーマットの場合、図２１の様に、底板５に複数の穴２２を設け、その穴２２を通して底板５にわたり粘着テープ２１で底板５を床やカウンター等の平面に貼り付けても良いし、又は図２〜１５の様に、本発明のマット１００が、床に置かれ人が上を歩行しても床の上で滑らない様、床がＰ−タイル等の場合は、耐振マットの様な両面粘着ジェルシート２３を、床が繊維質の場合は、面ファスナーのオスの面２３を底板５の裏面に点在させても良い。又はその二つのを併用すればさらに滑り難い。
ポスターパネルの場合は、外枠１，２又は底板５に壁や柱に留め付ける為の穴を設けても良い。
【００３７】
透明板３が傷ついた場合は、図１７の様に、第２の外枠２付き透明板３を新しい物に交換すれば良い。図１７の様に、透明板３と中間板４の外枠２の付いていないコーナーにアール２５を付ければ、第１の外枠１内のコの字型の溝７に透明板３や中間板４を挿入し易くなる。又、透明板３と中間板４のコーナーのアール２５の大きさを変え、透明板３を微粘着ジェルテープ１３から剥がす際の糸口としても良い。
【符号の説明】
【００３８】
１００    広告、掲示物用ディスプレイ装置
１        第１の外枠
２        第２の外枠
３        透明板
４        中間板
５        底板
６        広告、掲示物
７        コの字型の溝
８        第１の逆エル字型の溝
９        第２の逆エル字型の溝
１０        第３の逆エル字型の溝
１１        面ファスナー等の着脱可能な固着体の１片  
１２        面ファスナー等の着脱可能な固着体の他の１片
１３        微粘着ジェルテープ等の着脱可能な固着体
１４        防水フィン
１５        コの字型の溝の底部
１６        逆テーパー型のメスの溝
１７        逆テーパー型のオスのレール
１８        両面テープ
１９        補助板
２０        当て板
２１        粘着テープ
２２        底板留め付け穴
２３        両面粘着ジェルシート又は面ファスナーのオスの面
２４        外枠のスロープ
２５        透明板と中間板のコーナーのアール
【図１】
2011048330.tif 000003
【図２】
2011048330.tif 000004
【図３】
2011048330.tif 000005
【図４】
2011048330.tif 000006
【図５】
2011048330.tif 000007
【図６】
2011048330.tif 000008
【図７】
2011048330.tif 000009
【図８】
2011048330.tif 000010
【図９】
2011048330.tif 000011
【図１０】
2011048330.tif 000012
【図１１】
2011048330.tif 000013
【図１２】
2011048330.tif 000014
【図１３】
2011048330.tif 000015
【図１４】
2011048330.tif 000016
【図１５】
2011048330.tif 000017
【図１６】
2011048330.tif 000018
【図１７】
2011048330.tif 000019
【図１８】
2011048330.tif 000020
【図１９】
2011048330.tif 000021
【図２０】
2011048330.tif 000022
【図２１】
2011048330.tif 000023